(57)【要約】      （修正有）【課題】気管切開孔に向かい合う対向部を他者の視線から隠す喉エプロンを提供する。【解決手段】喉エプロン１は、気管切開孔を有する患者の首に掛けられる帯部１０と、帯部１０に取り付けられて気管切開孔に対向する対向部２０とを備える。喉エプロン１は、気管切開孔から離れた側で対向部２０を被覆する被覆部４０を備える。被覆部４０は、布で形成され、ギャザー４６を介して帯部１０に連結され、対向部２０は、被覆部４０に比べて吸液性が高い布で形成されている。【選択図】図１
0003192274.tif 000002
【実用新案登録請求の範囲】
【請求項１】
気管切開孔を有する患者の首に掛けられる帯部と、前記帯部に取り付けられて前記気管切開孔に対向する対向部とを備える喉エプロンであって、
前記気管切開孔から離れた側で前記対向部を被覆する被覆部を備え、
前記被覆部は、布で形成され、ギャザーを介して前記帯部に連結され、
前記対向部は、前記被覆部に比べて吸液性が高い布で形成されている
ことを特徴とする喉エプロン。
【請求項２】
請求項１に記載の喉エプロンであって、
前記被覆部は、前記ギャザーが施される前の平面状態での形状が二等辺三角形であり、前記ギャザーは、前記二等辺三角形の底辺部に施されていることを特徴とする。
【請求項３】
請求項２に記載の喉エプロンであって、
前記二等辺三角形は、直角二等辺三角形であることを特徴とする。
【請求項４】
請求項１から請求項３までのいずれか一つに記載の喉エプロンであって、
前記被覆部は、前記対向部に比べて薄手であることを特徴とする。
【請求項５】
請求項１から請求項４までのいずれか一つに記載の喉エプロンであって、
前記対向部は、四辺形のタオル地である
ことを特徴とする。
【請求項６】
請求項５に記載の喉エプロンであって、
前記対向部は、前記気管切開孔に向き合う側に配置された内側ポケット部を有することを特徴とする。
【請求項７】
請求項６に記載の喉エプロンであって、
前記内側ポケット部は、前記対向部の前記帯部から離れた先端の先端外周に位置合わせされていることを特徴とする。
【請求項８】
請求項７に記載の喉エプロンであって、
前記内側ポケット部は、前記対向部と同等の部材を二等分した内の一方で形成されていることを特徴とする。
【請求項９】
請求項５または請求項６に記載の喉エプロンであって、
前記対向部は、前記被覆部に向き合う側に形成された外側ポケット部を有することを特徴とする。
【請求項１０】
請求項９に記載の喉エプロンであって、
前記内側ポケット部は、前記対向部と同等の部材が二つ折りにされた一方であり、前記外側ポケット部は、前記二つ折りにされた他方であることを特徴とする。
【請求項１１】
請求項９または請求項１０に記載の喉エプロンであって、
前記対向部は、前記気管切開孔に装着されたチューブから延長された延長部が貫通する貫通孔を有することを特徴とする。
【請求項１２】
請求項１から請求項１１までのいずれか一つに記載の喉エプロンであって、
前記対向部は、取付け部材を介して前記帯部に取り付けられていることを特徴とする。
【請求項１３】
請求項１２に記載の喉エプロンであって、
前記取付け部材は、凹部を有する第１取付け部材と凸部を有する第２取付け部材とを有するスナップボタンであり、前記帯部の側に第１取付け部材が配置され、前記対向部の側に第２取付け部材が配置されていることを特徴とする。
【請求項１４】
請求項２から請求項１３までのいずれか一つに記載の喉エプロンであって、
前記帯部は、前記帯部の形状を定めるベルト芯部を有し、前記底辺部は、前記ベルト芯部に縫い付けられていることを特徴とする。
【請求項１５】
請求項１４に記載の喉エプロンであって、
前記ベルト芯部は、カバー布で被覆されていることを特徴とする。
【請求項１６】
請求項２から請求項１４までのいずれか一つに記載の喉エプロンであって、
前記帯部は、カバー布で覆われ、前記カバー布は、四辺形の対角線を裁断して前記二等辺三角形が形成されるとき、前記対角線と前記底辺部との間に設定された帯状端切れ部から形成されることを特徴とする。
【考案の詳細な説明】
【技術分野】
【０００１】  本考案は、気管切開による手術で喉に気管切開口を形成された患者の気管切開口から排出される体液を吸収する喉エプロンに関する。
【背景技術】
【０００２】  喉（咽頭、喉頭）に係る病気の場合、患者を治療するために喉頭を除去することがある。このとき、呼吸のために首の気管側に穴をあけて気管切開孔を形成することがある。気管切開孔は、鼻、あるいは口を介しての呼吸と異なることから、痰が発生しやすく、また、多くの体液を漏出することがある。
特に気管切開孔が永久的に形成された永久気管孔は、痰等の体液が漏出しやすくなる。また、鼻や口で補われていた湿度が不足することから乾燥を防止する必要が生じる。更に、永久気管孔から水、ごみが直接肺に入る恐れがある。
したがって、手術直後の直接的な看護が必要な場合は勿論、手術後の安定期（例えば退院後の日常生活）においても多くの症状に対応するため、日常生活での継続的なケアが必要となる。永久気管孔に対する日常のケア用品として、永久気管孔を覆う喉エプロンがある。なお、本出願では気管切開孔、永久気管孔等をまとめて単に気管切開孔と記載する。【０００３】  図１３は、従来の喉エプロンの例を示す説明図である。
従来の喉エプロン１０１は、気管切開孔を有する患者の首に掛けられる帯部１１０と、帯部１１０に取り付けられて気管切開孔に対向する対向部１２０とを備える。対向部１２０は、複数枚のガーゼが重ねられ、平面視でほぼ矩形状である。対向部１２０は、一辺に帯部１１０が取り付けられる。帯部１１０は、患者の首の後ろ側で結ばれる。したがって、喉エプロン１０１（対向部１２０）は、気管切開孔に位置決めされる。
対向部１２０のガーゼは、体液に対する吸収作用、痰に対する吸着作用、ごみに対するフィルター作用を有する。したがって、喉エプロン１０１（対向部１２０）は、気管切開孔から漏出する体液あるいは痰を吸収し、また、乾燥した空気が肺に入ることを抑制し、肺へのごみの侵入を抑制する。
なお、喉エプロン１０１の代わりに気管切開孔の近くに回収容器を取り付けることが提案されている（特許文献１、特許文献２参照）。
【先行技術文献】
【特許文献】
【０００４】
【特許文献１】実用新案登録第３１２３３９３号公報
【特許文献２】特開２００７−３１９４７３号公報
【考案の概要】
【考案が解決しようとする課題】
【０００５】  しかしながら、喉エプロン１０１は、対向部１２０が露出した状態である。したがって、他者の視線を避けることは難しい。つまり、他者は、露出されたガーゼ（対向部１２０）に視線が向くようになる。このため、患者は、他者の視線を感じる。
患者は、喉エプロン１０１を隠すとき、対向部１２０を着衣の内側に配置し、着衣を対向部１２０の前側で合わせる。対向部１２０は、着衣によって隠されるが、患者は、首回りの自由度が抑制される。
上記したとおり、喉エプロン１０１において、対向部１２０はガーゼが露出することから、患者および他者の両者は、共にストレスを生じる。【０００６】  本考案は、従来の喉エプロンにおける他者が対向部を直視できるという課題を解決することを目的とする。つまり、本考案は、気管切開孔に向かい合わされる対向部を他者の視線から隠す喉エプロンを提供することを目的とする。
【課題を解決するための手段】
【０００７】  本考案は、気管切開孔を有する患者の首に掛けられる帯部と、前記帯部に取り付けられて前記気管切開孔に対向する対向部とを備える喉エプロンであって、前記気管切開孔から離れた側で前記対向部を被覆する被覆部を備え、前記被覆部は、布で形成され、ギャザーを介して前記帯部に連結され、前記対向部は、前記被覆部に比べて吸液性が高い布で形成されていることを特徴とする。
本考案は、前記喉エプロンであって、前記被覆部は、前記ギャザーが施される前の平面状態での形状が二等辺三角形であり、前記ギャザーは、前記二等辺三角形の底辺部に施されている。
本考案は、前記喉エプロンであって、前記二等辺三角形は、直角二等辺三角形である。
本考案は、前記喉エプロンであって、前記被覆部は、前記対向部に比べて薄手である。【０００８】  本考案は、前記喉エプロンであって、前記対向部は、四辺形のタオル地である。
本考案は、前記喉エプロンであって、前記対向部は、前記気管切開孔に向き合う側に配置された内側ポケット部を有する。
本考案は、前記喉エプロンであって、前記内側ポケット部は、前記対向部の前記帯部から離れた先端の先端外周に位置合わせされている。
本考案は、前記喉エプロンであって、前記内側ポケット部は、前記対向部と同等の部材を二等分した内の一方で形成されている。【０００９】  本考案は、前記喉エプロンであって、前記対向部は、前記被覆部に向き合う側に形成された外側ポケット部を有する。
本考案は、前記喉エプロンであって、前記内側ポケット部は、前記対向部と同等の部材が二つ折りにされた一方であり、前記外側ポケット部は、前記二つ折りにされた他方である。
本考案は、前記喉エプロンであって、前記対向部は、前記気管切開孔に装着されたチューブから延長された延長部が貫通する貫通孔を有する。【００１０】  本考案は、前記喉エプロンであって、前記対向部は、取付け部材を介して前記帯部に取り付けられている。
本考案は、前記喉エプロンであって、前記取付け部材は、凹部を有する第１取付け部材と凸部を有する第２取付け部材とを有するスナップボタンであり、前記帯部の側に第１取付け部材が配置され、前記対向部の側に第２取付け部材が配置されている。【００１１】  本考案は、前記喉エプロンであって、前記帯部は、前記帯部の形状を定めるベルト芯部を有し、前記底辺部は、前記ベルト芯部に縫い付けられている。
本考案は、前記喉エプロンであって、前記ベルト芯部は、カバー布で被覆されている。
本考案は、前記喉エプロンであって、前記帯部は、カバー布で覆われ、前記カバー布は、四辺形の対角線を裁断して前記二等辺三角形が形成されるとき、前記対角線と前記二等辺三角形の底辺部との間に設定された帯状端切れ部から形成される。
【考案の効果】
【００１２】  本考案の喉エプロンは、確実に対向部を隠す。したがって、対向部が外側へ露出することはなく、他者は、対向部を直接見ることがない。このため、患者（着用者）は、喉エプロンを着用した場合でも他者の視線から受けるストレスを回避できる。
【図面の簡単な説明】
【００１３】
【図１】本考案の実施の形態１に係る喉エプロンの正面図である。
【図２】図１に示した喉エプロンの背面図である。
【図３】図１および図２に示した喉エプロンを患者の首に着用した状態を示す説明図である。
【図４】図１に示した喉エプロンの被覆部を準備する前工程を示す工程模式図である。
【図５】図４に示した工程の後、ギャザーが形成された被覆部をベルト芯部に縫い付ける工程を示す工程模式図である。
【図６】図５に示した工程の後、ベルト芯部がカバー布で覆われて帯部を形成する工程を示す工程模式図である。
【図７】図６に示した工程の後、対向部を帯部に取り付ける第１取付け部材を帯部に形成する工程を示す工程模式図である。
【図８】図７に示した第１取付け部材と対の第２取付け部材を対向部に形成する工程を示す工程模式図である。
【図９】本発明の実施の形態２における対向部を説明する説明図であり、（Ａ）は、正面図であり、（Ｂ）は、右側面図である。
【図１０】本発明の実施の形態３における対向部を説明する説明図であり、（Ａ）は、正面図であり、（Ｂ）は、右側面図である。
【図１１】本発明の実施の形態４における対向部を説明する説明図であり、（Ａ）は、正面図であり、（Ｂ）は、右側面図である。
【図１２】本発明の実施の形態５における帯状端切れ部を形成する一部工程を示す工程模式図である。
【図１３】従来の喉エプロンの例を説明する説明図である。
【考案を実施するための形態】
【００１４】  以下、本考案に係る喉エプロンについて、図面を参照して説明する。
［実施の形態１］
図１から図８までを参照して、本考案の実施の形態１に係る喉エプロン１、喉エプロン１の製造工程、および喉エプロン１の使用状態を説明する。
図１は、本考案の実施の形態１に係る喉エプロン１の正面図である。
図２は、図１に示した喉エプロン１の背面図である。
図３は、図１および図２に示した喉エプロン１を患者ＰＴの首ＮＫに着用した状態を示す説明図である。
図１から図３までに示すとおり、喉エプロン１は、気管切開孔ＴＣを有する患者ＰＴの首ＮＫに掛けられる帯部１０と、帯部１０に取り付けられて気管切開孔ＴＣに対向する対向部２０とを備える。喉エプロン１は更に、気管切開孔ＴＣから離れた側で対向部２０を被覆する被覆部４０を備える。
被覆部４０は、布で形成され、ギャザー４６を介して帯部１０に連結され、対向部２０は、被覆部４０に比べて吸液性が高い布で形成されている。
【００１５】  喉エプロン１は、気管切開孔ＴＣから離れた側で対向部２０を被覆する被覆部４０を備えるので、確実に対向部２０を隠す。したがって、対向部２０が外側へ露出することはなく、他者は、対向部２０を直接見ることがない。このため、患者ＰＴ（着用者）は、喉エプロン１を着用した場合でも他者の視線から受けるストレスを回避できる。
被覆部４０は、布を縫い寄せたギャザー４６を介して帯部１０に連結される。このため、被覆部４０は、ギャザー４６から延長するひだ４７を有し、滑らかな立体感を生じる。被覆部４０に生じたひだ４７は、喉エプロン１の使用中に患者ＰＴの首ＮＫから胸元ＢＳにかけて流線型の立体形状となるので、患者ＰＴの首回りのファッション性を向上させる。
被覆部４０は、布で形成されているから、着衣ＷＲの内側へ自由に移せる。したがって、被覆部４０を移動させて対向部２０を気管切開孔ＴＣの側へ更に寄せることができる。
【００１６】  対向部２０は、被覆部４０より吸液性の高い布で形成されるので、気管切開孔ＴＣから漏出する体液は、被覆部４０より患者側に配置された対向部２０に吸収される。
つまり、喉エプロン１は、患者ＰＴにとって使い勝手が良く、おしゃれ感を満たしやすい。なお、喉エプロン１を必要とする患者は、成人が多い。このため、喉エプロン１におけるファッション性は、成人のおしゃれ感を満たす上で重要な要因となる。また、喉エプロン１は、気管切開孔ＴＣに対する他者の視線を抑制する。
【００１７】  対向部２０は、四辺形のタオル地である。したがって、対向部２０は、容易にかつ確実に吸液性を実現する。また、対向部２０は、基本形状が四辺形であるので、広い面積を有する。このため、対向部２０は、患者ＰＴの気管切開孔ＴＣに対して容易に位置合わせされる。つまり、対向部２０は、体液を確実に吸収しやすくなる。
タオル地は、肌触りあるいは吸液性の観点から、シャーリング地（ベロア調）等が適用される。具体的には、シャーリング地で形成された乳幼児用のミニハンカチ等が好ましい。
対向部２０の平面形状を規定する四辺形の角は、丸みが施されている。つまり、対向部２０は、正確な四辺形ではなく、角に丸みを有する疑似四辺形でも良い。
【００１８】  対向部２０は、取付け部材５０を介して帯部１０に取り付けられている。したがって、喉エプロン１は、体液で汚れた対向部２０を容易に取り替えることができる。また、対向部２０は、被覆部４０とは別に洗浄できる。つまり、被覆部４０に比べて汚れやすい対向部２０は、洗浄が容易になる。このため、喉エプロン１は、清浄な状態を容易に確保することができ、使用時における患者ＰＴの不快感を抑制することができる。
取付け部材５０は、対向部２０の一辺が帯部１０に向かい合った状態で固定される位置に配置される。取付け部材５０は、帯部１０の裏側に配置される。つまり、取付け部材５０は、帯部１０の首ＮＫに向かい合う面に配置される。
対向部２０は、幼児用ミニハンカチ（タオル地）である。乳幼児用のミニハンカチの大きさは、例えば１５ｃｍ角（角は丸みを有する）である。幼児用ミニハンカチは、一般的に４辺の縁取りがされており、長期の使用、多数回の洗濯に耐える。また、幼児用ミニハンカチは、角部が丸く縁取りされている。幼児用ミニハンカチは、綿（オーガニックコットン）等で形成され吸水性に優れている。
【００１９】  被覆部４０は、対向部２０に比べて薄手である。したがって、被覆部４０は、対向部２０よりも軽く柔らかくなる。つまり、被覆部４０は、患者ＰＴの首ＮＫから胸元ＢＳまでの間で、着衣ＷＲに沿う自然な状態で着衣ＷＲを覆うことができる。
また、患者ＰＴは、首ＮＫから胸元ＢＳまでの間で、着衣ＷＲの内外のいずれへも被覆部４０を容易に位置させることができる。このため、喉エプロン１は、患者ＰＴのファッション感および使用感を満たす。
被覆部４０が配置されるギャーザー範囲ＷＧは、対向部２０を隠せば良いから、例えば２０ｃｍから３０ｃｍ程度である。
【００２０】  帯部１０は、両端を連結して首ＮＫに掛ける部材としての固定部１７、固定部１８を有する。固定部１７、固定部１８は、帯部１０の互いに異なる面に配置される。固定部１７、固定部１８は、例えば面ファスナーである。固定部１７および固定部１８は、首ＮＫの後ろ側で相互に対向して留められる。
固定部１７および固定部１８のいずれか一方は、他方より帯部１０の長さ方向で長くされている。これにより、長さ方向の広い範囲での連結が容易となり、首ＮＫの大きさに応じた長さを確保できる。
帯部１０の長さは、例えば４５ｃｍ（４０ｃｍ〜５０ｃｍ）程度、帯部１０の幅は、例えば２．５ｃｍ程度、帯部１０の厚みは、例えば２ｍｍ程度である。固定部１７の長さは、例えば５ｃｍから６ｃｍ程度、固定部１８の長さは、例えば２ｃｍから３ｃｍ程度である。
【００２１】  図４から図８までに示すとおり、喉エプロン１は、ギャザー４６が形成された被覆部４０を有し、ギャザー４６は、帯部１０に連結している。被覆部４０は、二等辺三角形ＥＴの布を加工することによって形成される。
図４は、図１に示した喉エプロン１の被覆部４０を準備する前工程を示す工程模式図である。
図４に示すとおり、二等辺三角形ＥＴは、四辺形ＱＡを分割して２つ形成される。つまり、四辺形ＱＡは、対角線ＤＧで裁断され、２つの二等辺三角形ＥＴを形成する。対角線ＤＧは切断線となる。二等辺三角形ＥＴは、対角線ＤＧに沿って平行に配置された底辺部４５を有する。
四辺形ＱＡは、平面状態での形状が正方形あるいは菱形である。つまり、四辺形ＱＡは、対角線を線対称の軸とする。四辺形ＱＡが正方形ＳＱのとき、二等辺三角形ＥＴは直角二等辺三角形となる。
底辺部４５は、対角線ＤＧに沿ってぐし縫い糸ＲＳが２本縫い込まれ、後の工程（図５参照）でギャザー４６が施される。つまり、底辺部４５は、裁断後の加工によってギャザー４６が形成され、二等辺三角形ＥＴはギャザー４６を有する被覆部４０となる。なお、底辺部４５は、ぐし縫い糸ＲＳが施される領域を含む二等辺三角形ＥＴの端部領域である。
【００２２】  四辺形ＱＡが正方形ＳＱのとき、二等辺三角形ＥＴは、直角二等辺三角形である。つまり、被覆部４０は、正方形ＳＱの布から容易に製造される。
正方形ＳＱの布は、例えば、ハンカチーフが適用される。一般的なハンカチーフは、周囲が縁取りされているので、ハンカチーフから形成された被覆部４０は、改めて縁取りをする必要がなく、被覆部４０としての強度を確保できる。
また、被覆部４０に用いられたハンカチーフが美感に優れた模様を有するとき、喉エプロン１は、容易に美感を向上する。四辺形ＱＡは、表面に模様が描かれている装飾性、ファッション性の高いハンカチーフが好ましい。具体的にはブランド品であっても良い。
【００２３】  正方形ＳＱの布が正方形ＳＱの辺に沿った繊維を平織りして形成されているとき、直角二等辺三角形の底辺部４５は、繊維の方向がバイアスされた状態となる。したがって、被覆部４０は、柔らかい整ったひだ４７を形成する。
四辺形ＱＡ（正方形ＳＱ）は、一辺が例えば３５ｃｍから５０ｃｍ程度の大きさであり、対角線ＤＧの長さは５０ｃｍから７０ｃｍ程度である。ギャーザー範囲ＷＧが、例えば２０ｃｍから３０ｃｍであれば、ギャザー４６は、ほぼ半分の範囲に寄せられることになる。四辺形ＱＡが正方形ＳＱであるとき、底辺部４５に垂直な方向での寸法は、対角線ＤＧの半分であり、２５ｃｍから３５ｃｍ程度となる。
【００２４】  図５は、図４に示した工程の後、ギャザー４６が形成された被覆部４０をベルト芯部１１に縫い付ける工程を示す工程模式図である。
図５に示すとおり、底辺部４５は、ぐし縫い糸ＲＳに沿って寄せられ、ギャザー４６が形成される。すなわち、被覆部４０は、ギャザー４６が施される前の平面状態での形状が二等辺三角形ＥＴであり、ギャザー４６は、二等辺三角形ＥＴの底辺部４５に施されている。
ギャザー４６は、二等辺三角形ＥＴの底辺部４５に形成されているので、ギャザー４６が配置されるギャザー範囲ＷＧは、帯部１０の長さと対向部２０の寸法に対して自由に調整される。
つまり、ギャザー４６は、ギャーザー範囲ＷＧに応じて寄せ方が調整される。また、ギャザー４６は、底辺部４５に沿ってほぼ均等に形成されるので、美感と実用性が向上する。
帯部１０は、帯部１０の形状を定めるベルト芯部１１を有し、底辺部４５は、ベルト芯部１１に縫い付けられる。したがって、帯部１０は、被覆部４０を確実に固定することができる。
【００２５】  被覆部４０の底辺部４５に形成されたギャザー４６は、ぐし縫い糸ＲＳを残した状態でベルト芯部１１に押さえ縫いされる。したがって、被覆部４０は、ギャザー４６が形成された状態でベルト芯部１１に固定される。
二等辺三角形ＥＴの底辺部４５を寄せて形成されたギャザー４６は、ベルト芯部１１に固定された状態で延長するひだ４７を生じる。なお、二等辺三角形ＥＴは、正確な直角二等辺三角形でなくても直角二等辺三角形と同様にひだ４７を生じる。
ベルト芯部１１は、洋裁で用いられるベルト芯であっても良い。ベルト芯の他には、バイアステープ等が適用される（実施の形態５参照）。
【００２６】  図６は、図５に示した工程の後、ベルト芯部１１がカバー布１２で覆われて帯部１０を形成する工程を示す工程模式図である。
図６に示すとおり、ベルト芯部１１は、カバー布１２で被覆される。したがって、被覆部４０の底辺部４５は、カバー布１２で被覆される。つまり、被覆部４０に施されたギャザー４６は、カバー布１２によって保護されるので、喉エプロン１（ギャザー４６）の損傷は、抑制される。
被覆部４０と同等の模様を有する布がカバー布１２とされた場合（実施の形態５参照）、被覆部４０と帯部１０とは、模様が同様となり、帯部１０（喉エプロン１）の装飾性が向上する。つまり、カバー布１２と被覆部４０とは、同一の生地によって、模様、色彩等を揃えても良い。
ベルト芯部１１とカバー布１２との間に、相互間の連結強度を確保するためにベルト芯部１１の縁の内側に合わせて縁取り１５が施される。これにより、カバー布１２は、ベルト芯部１１に確実に連結される。
カバー布１２は、ベルト芯部１１の全体を内包したくるみ縫い、まつり縫い等が施される。したがって、ベルト芯部１１が隠され、帯部１０の美感が図られる。カバー布１２は、ベルト芯部１１を覆うので患者ＰＴの首ＮＫに対する感触を柔らかくできる。
帯部１０には、固定部１７および固定部１８が形成されるが説明は省略する。
【００２７】  図７は、図６に示した工程の後、対向部２０を帯部１０に取り付ける第１取付け部材５１を帯部１０に形成する工程を示す工程模式図である。
図８は、図７に示した第１取付け部材５１と対になる第２取付け部材５２を対向部２０に形成する工程を示す工程模式図である。
なお、図７に示す工程と図８に示す工程とはどちらが先であっても良く、また、同時であっても良い。
図７および図８に示すとおり、帯部１０に対向部２０を取り付ける取付け部材５０は、凹部を有する第１取付け部材５１と凸部を有する第２取付け部材５２とを有するスナップボタンである。帯部１０の側に第１取付け部材５１が配置され、対向部２０の側に第２取付け部材５２が配置されている。第１取付け部材５１の凹部に第２取付け部材５２の凸部が嵌め込まれて固定される。
したがって、取付け部材５０は、帯部１０に対する対向部２０の取付けおよび取り外しを容易にする。これにより、喉エプロン１は、使用時の利便性が向上する。また、対向部２０は、洗浄が容易になる。
【００２８】  例えば、対向部２０の洗浄は、１０枚ないし数十枚程度がまとめて漂白剤に漬けられ、漂白等された後、通常の洗浄（洗濯）が施される。対向部２０は、繰り返しての清浄に十分に耐えることから、喉エプロン１は利便性が高い。
取付け部材５０は、対向部２０の一辺の両端に対応して２か所配置される。つまり、帯部１０に２か所、対向部２０に２か所が位置合わせされる。対向部２０の一辺の両端に配置されることから、対向部２０は、帯部１０に対して安定した取付けが確保される。
スナップボタンは、小さい力で着脱される。また、スナップボタンは、洗浄の容易性を有する。したがって、取付け部材５０としては、嵌め込み式のスナップボタンが好ましい。なお、スナップボタンを例示したが、その他に面ファスナー等が利用される。また、その他の取付け部材であっても良い。
【００２９】  ［実施の形態２］
図９を参照して、本考案の実施の形態２に係る喉エプロン１ａの対向部２０ａについて説明する。対向部２０ａは、対向部２０（実施の形態１参照）に内側ポケット部３０ａが付加されている。つまり、対向部２０ａは、対向部２０の変形例である。
対向部２０ａの基本的な構成は、対向部２０と同様であるので主に異なる事項について説明する。喉エプロン１ａのその他の構成は喉エプロン１と同様であるので重複する説明は適宜省略する。
【００３０】  図９は、本発明の実施の形態２における対向部２０ａを説明する説明図であり、（Ａ）は、正面図であり、（Ｂ）は、右側面図である。なお、右側面図には、説明のために気管切開孔ＴＣが２点鎖線で示されている。
図９に示すとおり、対向部２０ａは、気管切開孔ＴＣに向き合う側に配置された内側ポケット部３０ａを有する。したがって、対向部２０ａは、内側ポケット部３０ａによる吸液性が付加される。また、内側ポケット部３０ａは、液体吸収部材ＬＰ（不図示）を収容できる。
したがって、対向部２０ａは、内側ポケット部３０ａによって体液を更に効果的に吸収する。つまり、対向部２０ａは、内側ポケット部３０ａを有しない場合に比べて体液の吸収度を更に向上させる。
液体吸収部材ＬＰは、例えば重ねたガーゼ、高吸水性高分子（吸水性ポリマー）等である。ガーゼは、機能的に従来と同等の作用が得られる。高吸水性高分子は、使い捨てが可能であり、処理が簡略化される。
【００３１】  内側ポケット部３０ａは、対向部２０ａの帯部１０から離れた先端の先端外周２１ａに位置合わせされている。つまり、対向部２０ａの先端である先端外周２１ａは、厚さ方向で内側ポケット部３０ａと重なる。対向部２０ａは、内側ポケット部３０ａが高精度で重なるので吸液性が確実に向上する。
内側ポケット部３０ａは、先端外周２１ａに対して帯部１０の側に配置された開口部３１ａ、開口部３１ａの反対側の底部３２ａ、内側ポケット部３０ａの右端である右端部３３ａ、内側ポケット部３０ａの左端である左端部３４ａを有する。右端部３３ａは、対向部２０ａの右端を規定する右外周２２ａに対向し、左端部３４ａは、対向部２０ａの左端を規定する左外周２３ａに対向する。
【００３２】  開口部３１ａは対向部２０ａのほぼ中間に位置し対向部２０ａに対して開口（分離）する。右端部３３ａは、開口部３１ａの側に配置された連結部２６ａを介して対向部２０ａに連結され、左端部３４ａは、開口部３１ａの側に配置された連結部２７ａを介して対向部２０ａに連結されている。底部３２ａは連結部２８を介して先端外周２１ａに連結されている。つまり、右端部３３ａおよび左端部３４ａは、それぞれ対向部２０ａに対して開口（分離）する。
したがって、内側ポケット部３０ａは、開口部３１ａ、右端部３３ａ、および左端部３４ａにおいて、外部に対してそれぞれ開口状態となる。このため、内側ポケット部３０ａは、３か所（３方向）において液体吸収部材ＬＰを出し入れできる。つまり、喉エプロン１は、液体吸収部材ＬＰの利用において高い利便性を確保する。
【００３３】  内側ポケット部３０ａは、対向部２０ａと同等の部材を二等分した内の一方で形成される。したがって、内側ポケット部３０ａは、対向部２０ａの帯部１０から遠い側の半分の範囲で重なる。
対向部２０ａおよび内側ポケット部３０ａは、同等の部材で形成されるので、同等の吸液性を有する。また、喉エプロン１ａは、部品点数が抑制され、安価にかつ容易に製造される。つまり、製造工程は簡略化され、製造原価は抑制される。
対向部２０ａおよび内側ポケット部３０ａにおいて、生地（材質）は同一であり、形状は、二等分された一方と対向部２０ａの半分とが重なる。対向部２０ａは、幼児用ミニハンカチである。
【００３４】  ［実施の形態３］
図１０を参照して、本考案の実施の形態３に係る喉エプロン１ｂの対向部２０ｂについて説明する。対向部２０ｂは、対向部２０（実施の形態１参照）に外側ポケット部６０が付加されている。つまり、対向部２０ｂは、対向部２０、対向部２０ａ（実施の形態２参照）の変形例である。対向部２０ｂの基本的な構成は、対向部２０、対向部２０ａと同様であるので主に異なる事項について説明する。喉エプロン１ｂのその他の構成は喉エプロン１、喉エプロン１ａと同様であるので重複する説明は適宜省略する。
【００３５】  図１０は、本発明の実施の形態３における対向部２０ｂを説明する説明図であり、（Ａ）は、正面図であり、（Ｂ）は、右側面図である。なお、右側面図には、説明のために気管切開孔ＴＣが２点鎖線で示されている。
図１０に示すとおり、対向部２０ｂは、被覆部４０に向き合う側に形成された外側ポケット部６０を有する。したがって、対向部２０ｂは、外側ポケット部６０による吸液性が付加される。また、外側ポケット部６０は、液体吸収部材ＬＰ（不図示）を収容できる。
したがって、対向部２０ｂは、外側ポケット部６０によって体液を更に効果的に吸収する。つまり、対向部２０ｂは、外側ポケット部６０を有しない場合に比べて体液の吸収度を更に向上させる。
【００３６】  対向部２０ｂは、内側ポケット部３０ｂに加えて外側ポケット部６０を有する。対向部２０ｂは、外側ポケット部６０を単独で有しても良い。外側ポケット部６０は、内側ポケット部３０ｂと同様の機能を生じる。内側ポケット部３０ｂおよび外側ポケット部６０の両方を有する場合、対向部２０ｂは、更に多量の体液を吸収する。
内側ポケット部３０ｂ、開口部３１ｂ、底部３２ｂ、右端部３３ｂ、左端部３４ｂの基本的な構成は、実施の形態２に係る内側ポケット部３０ａ、開口部３１ａ、底部３２ａ、右端部３３ａ、左端部３４ａの基本的な構成と同様であるので説明は省略する。
【００３７】  実施の形態２では、底部３２ａが連結部２８を介して先端外周２１ａに連結されているが、本実施の形態では、底部３２ｂおよび底部６２は、先端外周２１ｂに対して連結されない自由端である。
右端部３３ｂは、開口部３１ｂの側に配置された連結部２６ｂを介して対向部２０ｂに連結され、左端部３４ｂは、開口部３１ｂの側に配置された連結部２７ｂを介して対向部２０ｂに連結されている。
外側ポケット部６０の右端部６３は、開口部６１の側に配置された連結部２６ｂを介して対向部２０ｂに連結され、外側ポケット部６０の左端部６４は、開口部６１の側に配置された連結部２７ｂを介して対向部２０ｂに連結されている。
【００３８】  すなわち、連結部２６ｂは、内側ポケット部３０ｂおよび外側ポケット部６０の両方に対して共用され、連結部２７ｂは、内側ポケット部３０ｂおよび外側ポケット部６０の両方に対して共用されている。
内側ポケット部３０ｂは、対向部２０ｂと同等の部材が中央で二つ折りされた一方であり、外側ポケット部６０は、同じく他方である。したがって、内側ポケット部３０ｂおよび外側ポケット部６０は、対向部２０ｂと同等の部材を二つ折りして形成されるので、容易にかつ安価に製造される。
二つ折りされた谷折り部（底部３２ｂと底部６２との境界の内側）が先端外周２１ｂに位置合わせされる。
【００３９】  ［実施の形態４］
図１１を参照して、本考案の実施の形態４に係る喉エプロン１ｃの対向部２０ｃについて説明する。対向部２０ｃは、対向部２０ｂ（実施の形態３参照）に貫通孔２４が形成されている。つまり、対向部２０ｃは、対向部２０、対向部２０ａ（実施の形態２参照）、対向部２０ｂの変形例である。対向部２０ｃの基本的な構成は、対向部２０、対向部２０ａ、対向部２０ｂと同様であるので主に異なる事項について説明する。喉エプロン１ｃのその他の構成は喉エプロン１ａ、喉エプロン１ｂと同様であるので重複する説明は適宜省略する。
【００４０】  図１１は、本発明の実施の形態４における対向部２０ｃを説明する説明図であり、（Ａ）は、正面図であり、（Ｂ）は、右側面図である。なお、右側面図には、説明のために気管切開孔ＴＣが２点鎖線で示されている。
図１１に示すとおり、対向部２０ｃは、気管切開孔ＴＣに装着されたチューブＴＢから延長された延長部ＥＬが貫通する貫通孔２４を有する。貫通孔２４を通過した延長部ＥＬは、外側ポケット部６０へ導かれる。したがって、気管切開孔ＴＣから漏出した体液は、チューブＴＢの延長部ＥＬを介して外側ポケット部６０に導かれる。つまり、外側ポケット部６０は、延長部ＥＬを介して導かれる多量の体液を効果的に吸収することができる。
貫通孔２４は、開口部６１（および開口部３１ｂ）と帯部１０との間に配置され、内側ポケット部３０ｂおよび外側ポケット部６０の両方を有効に作用させる。つまり、貫通孔２４は、対向部２０ｃおよび外側ポケット部６０が配置されない領域の中央部分に形成される。
【００４１】  ［実施の形態５］
図１２を参照して、本考案の実施の形態５に係る帯部１０の表面を覆うカバー布１２の形成方法について説明する。実施の形態１の図４では、対角線ＤＧが二等辺三角形ＥＴ（直角二等辺三角形）の底辺部４５と一致する場合について説明した。本実施の形態では、対角線ＤＧと二等辺三角形ＥＴの底辺部４５との間に形成した帯状端切れ部４４がカバー布１２とされる場合について説明する。
つまり、帯状端切れ部４４は、カバー布１２を形成するときの実施例である。その他の構成は、実施の形態１から実施の形態４までと同様であるので重複する説明は適宜省略する。
【００４２】  図１２は、本発明の実施の形態５における帯状端切れ部４４を形成する一部工程を示す工程模式図である。
図１２に示すとおり、帯部１０は、カバー布１２（図６のカバー布１２参照）で覆われ、カバー布１２は、四辺形ＱＡの対角線ＤＧを裁断して二等辺三角形ＥＴが形成されるとき、対角線ＤＧと底辺部４５との間に設定された帯状端切れ部４４から形成される。
すなわち、被覆部４０を形成する二等辺三角形ＥＴの底辺部４５と四辺形ＱＡの対角線ＤＧとの間に設定された帯状端切れ部４４が裁断されてカバー布１２とされる。したがって、帯部１０の表面は被覆部４０と同様の布で覆われ、被覆部４０に対する帯部１０のファッション性（装飾性、統一性）が向上する。
また、帯状端切れ部４４は、四辺形ＱＡの布を加工して被覆部４０（二等辺三角形ＥＴ）を形成するときに併せて形成されるので、共通の部材として有効に活用される。つまり、カバー布１２のための部材を省略できる。
【００４３】  帯状端切れ部４４は、四辺形ＱＡの対角線ＤＧと被覆部４０に加工される二等辺三角形ＥＴの底辺部４５との間に設定される。帯状端切れ部４４は、帯部１０の両面を覆うことが好ましい。したがって、帯状端切れ部４４の幅ＷＣは、帯部１０の幅の少なくとも２倍超に設定される。
二等辺三角形ＥＴ（底辺部４５）に対するぐし縫い糸ＲＳが予め縫い込まれた後、対角線ＤＧ、底辺部４５における裁断がされると作業性が向上する。帯状端切れ部４４が裁断された後、底辺部４５は、ぐし縫い糸ＲＳに沿って寄せられ、ギャザー４６が施される。ギャザー４６が形成された底辺部４５は、帯状端切れ部４４に縫い付けられる。その後、帯状端切れ部４４は、底辺部４５を内包して帯部１０の表面でカバー布１２となる。
また、帯状端切れ部４４は、バイアステープと同様に作用し、ベルト芯部１１と同様の作用を生じる。帯状端切れ部４４は、ギャザー４６と同様にバイアスされた状態となる。また、帯状端切れ部４４は、ベルト芯部１１を省略しても良く、また、ベルト芯部１１と併用されても良い。
【００４４】  四辺形ＱＡ（正方形ＳＱ）の一辺の長さが例えば４０ｃｍのとき、対角線ＤＧの長さは５６ｃｍとなる。また、対角線ＤＧに垂直な方向において底辺部４５から二等辺三角形ＥＴの頂点までの長さは対角線ＤＧの半分の２８ｃｍとなる。帯部１０の幅が２．５ｃｍで、帯状端切れ部４４の幅ＷＣを帯部１０の幅の３倍程度確保した場合、幅ＷＣは、７．５ｃｍとなる。つまり、幅ＷＣは、８ｃｍ弱となる。３倍程度であることから、少なくとも帯部１０の両面を確実に覆う。２８ｃｍから８ｃｍを裁断すると二等辺三角形ＥＴの高さは２０ｃｍが確保される。したがって、帯状端切れ部４４を裁断した場合でも、二等辺三角形ＥＴ（被覆部４０）は、ギャーザー範囲ＷＧと垂直な方向において十分な長さを確保できる。
【産業上の利用可能性】
【００４５】  喉エプロン１、喉エプロン１ｂ、喉エプロン１ｃ、喉エプロン１ｄは、気管切開孔ＴＣを有する患者ＰＴのために供給され、看護医療に利用される。
【符号の説明】
【００４６】  １、１ａ、１ｂ、１ｃ  喉エプロン
１０  帯部
１１  ベルト芯部
１２  カバー布
１５  縁取り
１７  固定部
１８  固定部
２０、２０ａ、２０ｂ、２０ｃ  対向部
２１ａ、２１ｂ  先端外周
２２ａ、２２ｂ  右外周
２３ａ、２３ｂ  左外周
２４  貫通孔
２６ａ、２６ｂ、２７ａ、２７ｂ、２８  連結部
３０ａ、３０ｂ  内側ポケット部
３１ａ、３１ｂ  開口部
３２ａ、３２ｂ  底部
３３ａ、３３ｂ  右端部
３４ａ、３４ｂ  左端部
４０  被覆部
４４  帯状端切れ部
４５  底辺部
４６  ギャザー
４７  ひだ
５０  取付け部材
５１  第１取付け部材
５２  第２取付け部材
６０  外側ポケット部
６１  開口部
６２  底部
６３  右端部
６４  左端部
ＢＳ  胸元
ＤＧ  対角線
ＥＬ  延長部
ＥＴ  二等辺三角形
ＬＰ  液体吸収部材
ＮＫ  首
ＰＴ  患者
ＱＡ  四辺形
ＲＳ  ぐし縫い糸
ＳＱ  正方形
ＴＢ  チューブ
ＴＣ  気管切開孔
ＷＣ  幅
ＷＧ  ギャザー範囲
ＷＲ  着衣
【図１】
0003192274.tif 000003
【図２】
0003192274.tif 000004
【図３】
0003192274.tif 000005
【図４】
0003192274.tif 000006
【図５】
0003192274.tif 000007
【図６】
0003192274.tif 000008
【図７】
0003192274.tif 000009
【図８】
0003192274.tif 000010
【図９】
0003192274.tif 000011
【図１０】
0003192274.tif 000012
【図１１】
0003192274.tif 000013
【図１２】
0003192274.tif 000014
【図１３】
0003192274.tif 000015
【手続補正書】
【提出日】平成26年6月16日(2014.6.16)
【手続補正１】
【補正対象書類名】図面
【補正対象項目名】図５
【補正方法】変更
【補正の内容】
【図５】
0003192274.tif 000016
【手続補正２】
【補正対象書類名】図面
【補正対象項目名】図１０
【補正方法】変更
【補正の内容】
【図１０】
0003192274.tif 000017
【手続補正３】
【補正対象書類名】図面
【補正対象項目名】図１１
【補正方法】変更
【補正の内容】
【図１１】
0003192274.tif 000018